(57)【要約】【課題】空気流入路に表示部を配置せずに、水受け部前面に配置することができ、かつ、表示部の結露を防止する空気調和機の室内機を得る。【解決手段】前面枠１２の前面中央には輻射センサ９及び表示カバー１６が配置されており、その表示カバー１６は、運転状態表示が投影される表示投影部１３を有し、また、輻射センサ９の下方には、運転状態を表示するＬＥＤ２２が配置された基板６が設置されており、その基板６を囲んでいる基板ホルダ上７及び基板ホルダ下８にそれぞれ連通穴７ｂ及び連通穴８ｂが設けられている。【選択図】図３
2010071555.tif 000002
【特許請求の範囲】
【請求項１】
熱交換器と、
前記熱交換器で発生したドレン水を受ける水受け部と、
前記水受け部の前方側に配置された表示部と、
を備え、
前記表示部は、
運転状態の表示動作を制御する制御回路を有する基板を有し、
空気調和機の運転に伴い吸い込まれた空気が前記熱交換器に流入するまでの流入経路に配置されない
ことを特徴とする空気調和機の室内機。
【請求項２】
前記表示部は、前記基板を固定する基板ホルダを有し、
該基板ホルダは、連通穴を有し、
該連通穴から流出入する空気は、前記基板の表裏を流通する
ことを特徴とする請求項１記載の空気調和機の室内機。
【請求項３】
前記基板ホルダと前記水受け部との間に空間を設け、該空間に空気を流通させるようにした
ことを特徴とする請求項１又は請求項２記載の空気調和機の室内機。
【請求項４】
前記基板は、運転状態を表示するＬＥＤを有し、
前記表示部は、前記ＬＥＤが発する光を受ける表示カバーを有し、
前記ＬＥＤと前記表示カバーとの間に所定の距離を設けることによって、前記表示カバーの表示投影部において、前記ＬＥＤの発光部面積よりも前記ＬＥＤが発する光の投影範囲を拡大させた
ことを特徴とする請求項１〜請求項３のいずれかに記載の空気調和機の室内機。
【請求項５】
前記表示カバーは、光拡散剤が添加された材料によって成形された
ことを特徴とする請求項４記載の空気調和機の室内機。
【請求項６】
前記表示部の近傍に備えられ、周囲の温度を検知する温度検出手段を備え、
前記表示部は、前記温度検出手段によって検知される温度情報を基に省エネ運転が実施された場合に、省エネ表示をする
ことを特徴とする請求項１〜請求項５のいずれかに記載の空気調和機の室内機。
【請求項７】
前記温度検出手段は、輻射センサである
ことを特徴とする請求項６記載の空気調和機の室内機。
【発明の詳細な説明】
【技術分野】
【０００１】
本発明は、空気調和機の室内機に関し、特に、前面グリル中央に配置され、冷房及び除湿運転時等での表示基板への結露を抑制する表示部に関するものである。
【背景技術】
【０００２】
従来の空気調和機の室内機として、空気調和機の運転に伴い吸込まれた空気が表示部背面側に沿って流れるように表示部を配置したものがある（例えば、特許文献１参照）。
【０００３】
【特許文献１】特開２００４−３１６９７３号公報
【発明の開示】
【発明が解決しようとする課題】
【０００４】
しかしながら、従来の空気調和機の室内機は、その表示部の結露の防止のために空気調和機の運転に伴い吸込まれた空気が表示部背面を流れるようにするため、室内機本体内部へ空気を吸い込む吸込口とその空気が流入する熱交換器の間に表示部を配置しなければならないという配置上の制約があるという問題があった。
【０００５】
本発明は、上記のような問題点を解決するためになされたもので、空気流入路に表示部を配置せずに、水受け部前面に配置することができ、かつ、表示部の結露を防止する空気調和機の室内機を得ることを目的とする。
【課題を解決するための手段】
【０００６】
本発明に係る空気調和機の室内機は、熱交換器と、前記熱交換器で発生したドレン水を受ける水受け部と、前記水受け部の前方側に配置された表示部と、を備え、前記表示部は、運転状態の表示動作を制御する制御回路を有する基板を有し、空気調和機の運転に伴い吸い込まれた空気が前記熱交換器に流入するまでの流入経路に配置されないことを特徴とする。
【発明の効果】
【０００７】
本発明に係る空気調和機の室内機は、その表示部を、吸込口から吸い込まれ熱交換器へと流入する空気の流入経路への配置に制約されることなく、水受け部の前面に配置させることができる。
【発明を実施するための最良の形態】
【０００８】
図１は、本発明の実施の形態における空気調和機の室内機を示す斜視図であり、図２は、その室内機の縦断面図である。まず、図１及び図２を参照しながら、空気調和機の室内ユニットの全体構成を説明する。
室内ユニット１００は、室内の壁の上部に設置される壁掛け式であり、その室内ユニット１００の外郭（筐体）は、室内の壁面に位置する。室内ユニット１００本体の背面側には台枠１８が配置され、その台枠１８の前面側には前面枠１２が配置されており、そして、その前面枠１２の前面を覆う態様で、前面グリル１が開閉自在に取り付けられている。また、前面枠１２の前面中央には輻射センサ９及び表示カバー１６が配置されており、その表示カバー１６は、運転状態表示が投影される表示投影部１３を有する。
台枠１８には、室内空気と冷凍サイクルにおける冷媒との間で熱交換する熱交換器３、及び、室内空気を室内ユニット１００内部に吸込み、熱交換器３を通過させて熱交換された調和空気として室内に吹出す室内ファン４が固定されている。熱交換器３は、多段に折り曲げられ、室内ファン４の前面及び上面、並びに背面の一部を囲うように配置される。室内ファン４は、室内ユニット１００の長手方向に延びる態様で固定されており、その軸方向、すなわち、室内ユニット１００の長手方向を横切るように空気を流すラインフローファンである。熱交換器３及び室内ファン４は、台枠１８に固定されるが、台枠１８から室内側に突出しており、この突出した部分は、筐体である前面枠１２に収納される。その前面枠１２は、その上面に、室内空気を室内ユニット１００の内部に吸込む吸込口２を備える。その吸込口２は前面枠１２と一体的に格子状に形成されており、前面枠１２の強度が確保される。また、吸込口２の下側には、吸込口２から吸い込まれた室内空気に含まれる塵埃を捕集するフィルタ５が設置されている。また、前面枠１２の下方には、室内ユニット１００の長手方向に延びる態様で、調和空気が吹き出される吹出口１９が形成されている。その吹出口１９には、室内に吹き出される調和空気の上下方向の風向を調整する上下風向板２０が設置されている。この上下風向板２０は、吹出口１９の長手方向に沿って前後に２段となる構成で設けられ、それらの左右端をそれぞれ回動支持され、前面枠１２内部に収納される駆動モータ（図示せず）によって上下方向に回動され、吹出口１９から室内に吹き出される調和空気の上下方向の風向を調整する。また、吹出口１９には、上下風向板２０よりも室内ユニット１００本体の内側に、左右風向板（図示せず）が設置されており、この左右風向板は、室内に吹き出される調和空気の左右方向の風向を調整する。空気調和機の運転停止時には、上下風向板２０が吹出口１９を閉塞し、室内ユニット１００の意匠性を向上させる。室内ファン４から吹出口１９に到る吹出風路７０は、背面側を台枠１８の曲面部に、前面側を台枠１８と前面枠１２に固定される水受け部１０によって形成される。その水受け部１０の吹出風路７０と反対側となる上面側は熱交換器３の下方に面しており、熱交換器３の表面のドレン水を回収する構成となっている。この水受け部１０に回収されたドレン水は、ドレンホース（図示せず）を流れて室外に排出される。
【０００９】
次に、室内ユニット１００の基本的な動作について説明する。
使用者がリモコン等を操作することによって空気調和機の運転開始が指令されると、室内ファン４に連結された駆動モータ（図示せず）が回転駆動し、その回転に連動して室内ファン４が回転駆動する。この室内ファン４の回転によって室内空気が吸込口２から吸い込まれ、フィルタ５を通過する。このフィルタ５によって、吸い込まれた室内空気に含まれる塵埃が捕集される。そして、フィルタ５を通過した室内空気は、室内ファン４の連続的な回転によって更に熱交換器３を通過する。この熱交換器３を通過する室内空気は、熱交換器３によって熱交換される。この熱交換器３は、空気調和機の運転が冷房運転の場合は蒸発器として機能し、冷凍サイクルの冷媒が蒸発するため、通過する室内空気は冷却される。一方、暖房運転であればドレン器として機能し、通過する室内空気は加熱される。このように、吸い込まれた室内空気は、熱交換器３を通過する際に、熱交換器３によって熱交換され、使用者が要求する調和空気となる。また、上記のように、フィルタ５が、吸い込まれた室内空気の塵埃を捕集することによって、熱交換器３への塵埃の付着が防止され、熱交換器３の塵埃付着による熱交換性能の低下が防がれる。熱交換器３を通過した室内空気は、調和空気となって、室内ファン４の連続的な回転によって吹出風路７０を通って吹出口１９から室内に吹き出される。また、この室内ファン４の回転数が変化することで、吹き出される調和空気の風量も調整される。このとき、調和空気が吹き出される際には、上下風向板２０及び左右風向板（図示せず）が回動して、その吹き出される方向（風向）が調整される。上下風向板２０及び左右風向板の回動は、それぞれ室内ユニット１００に内蔵される駆動モータ（図示せず）によってなされる。使用者によって空気調和機の運転停止が指令されると、上下風向板２０は、吹出口１９を閉塞する状態まで回動し、吹出口１９を閉塞して静止する。吹出口１９上部かつ前面グリル１の中央下部には、床温又は壁温等を検知する輻射センサ９が配置されており、エアコン周辺の温度だけではなく、使用者により近い部分の温度を検知し省エネ運転を可能にする。
【００１０】
図３は、図２におけるＡ部の表示部近傍の拡大断面図であり、図４は、その表示部近傍の部分斜視図であり、図５は、図４の表示部近傍部分の裏側から見た斜視図であり、そして、図６は、本発明の実施の形態に係る空気調和機の室内機を示す分解斜視図である。
輻射センサ９の上側部分は、駆動モータ２７と連結され、その下側部分は、基板ホルダ上７における軸２８に嵌合している。輻射センサ９が、駆動モータ２７が回転駆動することに伴い回転することによって輻射センサ９の検知範囲が広範囲となる構造となっている。この輻射センサ９の下方には、運転状態を表示するＬＥＤ２２が配置された基板６が設置されており、基板ホルダ上７に、その嵌合ツメ７ａによって固定されている。つまり、基板ホルダ上７は、輻射センサ９を固定すると共に、基板６の固定を兼ねている。基板ホルダ上７は、その嵌合ツメ７ａによって基板ホルダ下８へ固定され、嵌め込まれる。その基板ホルダ下８は、水受け部１０に組み込まれた断熱材１１の前面側に配置され、その嵌合ツメ８ａによって水受け部１０と嵌合し組み込まれており、ドレン水からの伝熱で冷却された水受け部１０及び断熱材１１から冷輻射を受ける位置に配置されている。また、基板６及び輻射センサ９から延びるリード線２４をまとめるためのリードカバー１７が、その嵌合ツメ１７ａによって基板ホルダ下８に固定されている。ドレン水が回収される水受け部１０は、ドレン水により冷却されるため、断熱材１１が組み込まれることによって水受け部１０の表面に発生する結露を防止している。また、断熱材１１の前面側は、吹出口１９の上側に位置しており、前面グリル１の下面にも位置するため、使用者の視認性を考慮して、表示カバー１６における表示投影部１３は、断熱材１１の前面に位置する構成としている。この場合、輻射センサ９は、基板６、ＬＥＤ２２、表示カバー１６及び表示カバー１６における表示投影部１３で構成される表示部２１の上側に設置されており、熱交換器３の前面には配置できない構成となっており、また、室内ユニット１００の天面にある吸込口２から吸い込まれた空気は、表示部２１の背面を通過しない構成となっている。このように配置された表示部２１は、吹出口１９より吹き出される冷風によって冷却された前面枠１２から冷輻射を受ける。また、低温であるドレン水が回収される水受け部１０及び水受け部１０に組み込まれた断熱材１１からの冷輻射及び熱伝導によって冷却される。そのため、基板６が収納されている基板ホルダ下８と断熱材１１間に空間１５を設けており、表示部２１は、その周辺の冷却されていない空気が図３で示される矢印のように流通することで、上記の冷却された前面枠１２からの冷輻射、並びに、水受け部１０及び断熱材１１からの冷輻射及び熱伝導による冷却が抑制される。また、基板６を囲んでいる基板ホルダ上７及び基板ホルダ下８にそれぞれ連通穴７ｂ及び連通穴８ｂが設けられており、基板６の表裏の空気が、表示部２１周辺の空気と流通（図４及び図５で示される矢印のように）することによって、基板６周辺の空気温度の低下が防止され、そして、湿気の拡散がなされ、基板６を含む表示部２１の結露が防止される。なお、連通穴７ｂ及び連通穴８ｂは、表示部２１周辺の空気の流れを考慮し、その流れの上流と下流に設けられることで、上記の効果は向上する。
【００１１】
以上の構成によって、基板６に配置されているＬＥＤ２２の発光は、前面枠１２に嵌合ツメにより固定され、表示カバー１６に部分的に表示投影部１３に投影される。ＬＥＤ２２前面の基板ホルダ上７の形状を、例えば、四角形とした四角形状部２６とし、図３で示されるように、表示投影部１３からＬＥＤ２２までの所定の距離としてＢ寸法を確保した場合、表示投影部１３に投影される形は大きな四角形となってＬＥＤ２２の発光部面積よりも拡大し、使用者への視認性が向上する。なお、表示カバー１６が、光拡散剤が添加された材料にて成形されることで、視認性をさらに向上させるものとしてもよい。
また、表示投影部１３は、運転の状態等を使用者に知らせるために設けられているが、例えば、表示投影部１３の色が、冷房運転の場合は青色、暖房運転の場合は赤色に変わることで運転状態がわかる。さらに、輻射センサ９の下側に表示投影部１３が設けられた場合、例えば、輻射センサ９による省エネＭＡＸ運転は青色、ＭＩＮ運転は赤色等にすることで、輻射センサ９の機能をアピールすることも可能となる。
そして、上記の表示部２１の構成と配置によって、表示部２１を、吸込口２から吸い込まれ熱交換器３へと流入する空気の流入経路への配置に制約されることなく、水受け部１０の前面に配置させることができる。
さらに、基板ホルダ下８と水受け部１０に組み込まれた断熱材１１の間に空間を設けることによって、表示部２１は、水受け部１０及び断熱材１１からの冷輻射及び熱伝導による冷却を抑制し、そして、基板ホルダ上７及び基板ホルダ下８にそれぞれ連通穴７ｂ及び連通穴８ｂを設けることで、基板６の表裏の温度の低下を防止し、湿気の拡散も可能とし、基板６を含む表示部２１の結露を防止する信頼性の高い表示構造を有する空気調和機の室内機を提供する。
【図面の簡単な説明】
【００１２】
【図１】本発明の実施の形態における空気調和機の室内機を示す斜視図である。
【図２】本発明の実施の形態における空気調和機の室内機を示す縦断面図である。
【図３】図２におけるＡ部の表示部近傍の拡大断面図である。
【図４】図２におけるＡ部の表示部近傍の部分斜視図である。
【図５】図４の表示部近傍部分の裏側から見た斜視図である。
【図６】本発明の実施の形態における空気調和機の室内機を示す分解斜視図である。
【符号の説明】
【００１３】
１  前面グリル、２  吸込口、３  熱交換器、４  室内ファン、５  フィルタ、６  基板、７  基板ホルダ上、７ａ  嵌合ツメ、７ｂ  連通穴、８  基板ホルダ下、８ａ  嵌合ツメ、８ｂ  連通穴、９  輻射センサ、１０  水受け部、１１  断熱材、１２  前面枠、１３  表示投影部、１５  空間、１６  表示カバー、１７  リードカバー、１７ａ  嵌合ツメ、１８  台枠、１９  吹出口、２０  上下風向板、２１  表示部、２２  ＬＥＤ、２４  リード線、２６  四角形状部、２７  駆動モータ、２８  軸、７０  吹出風路、１００  室内ユニット。    
【図１】
2010071555.tif 000003
【図２】
2010071555.tif 000004
【図３】
2010071555.tif 000005
【図４】
2010071555.tif 000006
【図５】
2010071555.tif 000007
【図６】
2010071555.tif 000008